(57)【要約】【課題】簡易な構成で目的の照射領域に対する照度分布のずれを原稿照明装置の外部から容易に修正することができる原稿照明装置、走査光学ユニット、画像読取装置および画像形成装置を提供すること。【解決手段】原稿照明部５６は、反射部４８が取り付けられる対向面４２ａと原稿照明部５６の外面を構成する下面４２ｂとを有する遮蔽部材４２と、反射部４７が取り付けられる対向面４３ｂと原稿照明部５６の外面を構成する上面４３ｃとを有するカバー部材４３と、を備え、上面４３ｃに光拡散シート８１を固定するとともに、遮蔽部材４２の穴４２ｃに光拡散シート８１の係合突起８１ｂを係合させるよう構成し、かつ光拡散シート８１の固定位置を調節可能な調節部７０を有し、調節部７０が光拡散シート８１に形成された貫通穴８１ｄと上面４３ｃに形成された長溝４３ｄとから構成される。【選択図】図１２
2012220566.tif 000002
【特許請求の範囲】
【請求項１】
光源と、原稿照明装置の内部に配置され、前記光源から光を原稿の照射領域に導く導光部材と、前記導光部材を支持する支持部材と、前記光源から原稿の照射領域までの光路上に配置され、前記光源からの光を拡散する光拡散部材と、を備えた原稿照明装置において、
前記支持部材を、前記導光部材が取り付けられる第１の対向面と前記第１の対向面と反対側に位置し原稿照明装置の外面を構成する第１の外面とを有する第１の支持部材と、前記第１の支持部材と別体に設けられ、前記第１の対向面に対向して前記導光部材が取り付けられた第２の対向面と前記第２の対向面と反対側に位置し原稿照明装置の外面を構成する第２の外面とを有する第２の支持部材と、から構成し、
前記第１の外面および前記第２の外面のいずれか一方に前記光拡散部材を固定するとともに、前記第１の支持部材および前記第２の支持部材のいずれか他方に前記光拡散部材に係合する係合部を設け、
前記光拡散部材の固定位置を調節可能な調節部を有することを特徴とする原稿照明装置。
【請求項２】
前記調節部は、円柱状の回転本体の底面に回転中心から離隔して設けられた突起を有する調節器具の前記回転本体が嵌合するよう前記光拡散部材に形成された貫通穴と、前記調節器具の前記突起が係合するよう前記第１の外面および前記第２の外面のいずれか一方に形成された第１の方向に長い長溝とからなり、
前記調節器具が前記調節部に装着された状態で前記回転本体を回転させることにより、前記光拡散部材の固定位置を前記第１の方向と直交する第２の方向に移動可能としたことを特徴とする請求項１に記載の原稿照明装置。
【請求項３】
前記光拡散部材は、前記第１の外面および前記第２の外面のいずれか一方に固定するための締結部材が係合する係合穴を有し、
前記係合穴は、前記第２の方向に長い長穴で構成されることを特徴とする請求項２に記載の原稿照明装置。
【請求項４】
前記導光部材は、前記光拡散部材を挟んで前記光源側に設けられた光源側反射部と原稿の照射領域側に設けられた照射領域側反射部とからなり、
前記光拡散部材は、前記光源から前記光源側反射部および前記照射領域側反射部で反射され、前記照射領域に向かう光路の中心軸を通すスリットを有することを特徴とする請求項１〜３のいずれか１項に記載の原稿照明装置。
【請求項５】
請求項１ないし請求項４のいずれか１項に記載の原稿照明装置を備えた走査光学ユニットであって、
原稿から反射された光を読み取る読取手段と前記原稿照明装置とを収納する筺体を備え、
前記調節部は、前記原稿照明装置が前記筺体に収納された状態で前記筺体の外部に露出するよう配置されていることを特徴とする走査光学ユニット。
【請求項６】
請求項５に記載の走査光学ユニットを備えた画像読取装置であって、
前記原稿照明装置を副走査方向に移動させる駆動手段を備えたことを特徴とする画像読取装置。
【請求項７】
請求項６に記載の画像読取装置を備えた画像形成装置であって、
前記読取手段によって読み取った画像を記録媒体上に形成する画像形成手段を有することを特徴とする画像形成装置。
【発明の詳細な説明】
【技術分野】
【０００１】
本発明は、原稿照明装置、走査光学ユニット、画像読取装置および画像形成装置に関し、例えば、原稿に光を照射する原稿照明装置、この原稿照明装置を備えた走査光学ユニット、この走査光学ユニットを備えた複写機、ファクシミリ装置、イメージスキャナ等に使用される画像読取装置およびこの画像読取装置を備えた画像形成装置に関する。
【背景技術】
【０００２】
一般に、ファクシミリ装置、複写機および複合機等に設けられたスキャナ装置等の画像読取装置では、光源から原稿に光を照射し、原稿からの反射光を複数のミラーで折り返してＣＣＤイメージセンサ等の撮像素子に入射させるようにしている。
【０００３】
近年、このような画像読取装置では、光源の立ち上がりのスピード、省エネルギー化、長寿命化等の要望があり、光源として点光源である発光ダイオード（ＬＥＤ）を用いた原稿照明装置が採用されている。ところが、点光源と見なせるほど小さい発光面を備える発光ダイオードだけで照明系を構成すると、光量が低下するほか均一な照度分布形状が得られないという問題がある。均一な照度分布が得られないと、主走査方向では濃度むらが発生し、副走査方向にあっても走査光学ユニットの走査時の振動により読取光軸のずれが生じた際に画像濃度むらが発生する。特に、それぞれ走行速度の異なる２つの走行体を用いて走査を行う、いわゆる差動式と呼ばれる走査方式では、上述した読取光軸のずれが生じ易く、副走査方向の画像濃度むらが発生する。このため、発光ダイオードを光源として用いる原稿照明装置にあっては、発光ダイオードからの光を導く導光部材を採用する場合がある。すなわち、画像形成装置として、モノクロ、フルカラー、ＭＦＰ等のデジタル複写機、汎用スキャナ等の高画質を要求している画像読取装置、アナログ複写機においては、ＬＥＤ等の光源と導光部材の最適化を図り、光を効率よく集め、かつ均一な照度分布を得る必要がある。
【０００４】
従来、このような要求に鑑みてなされた原稿照明装置として、ＬＥＤから出射される光を効率的に集光して光利用効率を高めるべく、導光部材として複数の反射板を用いたものが知られている（例えば、特許文献１参照）。この原稿照明装置によれば、主走査方向（読取ライン方向）の直線状に並べられた複数のＬＥＤの光を、反射板を用いて巧みに集光し、副走査方向に均一な照度分布形状を得ることができる。
【０００５】
ところが、光源としてＬＥＤ等の点光源を使用する場合には、複数の点光源を主走査方向に直線状に配列する構成をとるため、各点光源から出射された光を原稿面などの読取面に直接照射すると、主走査方向において照度リップル（照度分布のむら）が生じ、読み取った画像データに応じて画像形成した場合に照度リップルが原因となる画像濃度むらが発生する。
【０００６】
近年では、このような照射リップルが生じるのを防止するために、反射板に加えて、ＬＥＤから照射領域までの光路上に光拡散部材（光拡散シート）を配置し、ＬＥＤから出射された光を光拡散部材によって拡散することにより、照度リップルを抑制して照度分布を均一にするようにした原稿照明装置が提案されている（例えば、特許文献２参照）。
【０００７】
しかし、この種の原稿照明装置であっても、原稿照明装置や反射板の取付位置の精度が低いと、原稿の読取領域の中心と照度分布のピーク光量位置とがずれてしまう。つまり、目的の照射領域に対して実際の照度分布がずれてしまう。このため、結局は上述したような画像濃度むらが発生してしまうという不都合があった。このような不都合を解消するために、反射板の位置を調整、制御可能な構成とすることが考えられる。
【０００８】
この種の構成を有する原稿照明装置として、光源にＬＥＤを用いるものではないが、蛍光灯を光源として用いたスリット照明装置において、光源に対向して光源の集光位置と同一集光位置とすべく配置された反射板と、光源の光量変化を検出する光量検出手器と、光量検出手器の出力と基準レベルとの比較値に応じて反射板の反射位置を調節する制御回路および駆動回路とを備え、反射板によって生ずる虚光源位置を変化させることにより、実際の照明光量を一定に維持するようにしたものが知られている（例えば、特許文献３参照）。
【発明の概要】
【発明が解決しようとする課題】
【０００９】
しかしながら、特許文献２に記載のようなＬＥＤを光源に用いる原稿照明装置では、均一な照度分布を得るため、反射板が走査光学ユニットの筺体内部に取り付けられている。このため、反射板の位置を調整するためには、走査光学ユニットの筺体内部にアクセスする必要があり、大掛かりな作業となってしまう。この結果、上述したような目的の照射領域に対する照度分布のずれを容易に修正することができないという問題があった。
【００１０】
また、走査光学ユニットの筺体内部にアクセスせずに反射板を調整するには、上述した特許文献３に記載のような反射板の位置を自動で調節する制御回路および駆動回路が必要となってしまう。このため、原稿照明装置の構成が複雑になってしまうという問題があった。
【００１１】
本発明は、上述のような従来の問題を解決するためになされたもので、簡易な構成で目的の照射領域に対する照度分布のずれを原稿照明装置の外部から容易に修正することができる原稿照明装置、走査光学ユニット、画像読取装置および画像形成装置を提供することを目的とする。
【課題を解決するための手段】
【００１２】
本発明に係る原稿照明装置は、上記目的を達成するため、光源と、原稿照明装置の内部に配置され、前記光源から光を原稿の照射領域に導く導光部材と、前記導光部材を支持する支持部材と、前記光源から原稿の照射領域までの光路上に配置され、前記光源からの光を拡散する光拡散部材と、を備えた原稿照明装置において、前記支持部材を、前記導光部材が取り付けられる第１の対向面と前記第１の対向面と反対側に位置し原稿照明装置の外面を構成する第１の外面とを有する第１の支持部材と、前記第１の支持部材と別体に設けられ、前記第１の対向面に対向して前記導光部材が取り付けられた第２の対向面と前記第２の対向面と反対側に位置し原稿照明装置の外面を構成する第２の外面とを有する第２の支持部材と、から構成し、前記第１の外面および前記第２の外面のいずれか一方に前記光拡散部材を固定するとともに、前記第１の支持部材および前記第２の支持部材のいずれか他方に前記光拡散部材に係合する係合部を設け、前記光拡散部材の固定位置を調節可能な調節部を有する。
【００１３】
この構成により、本発明は、第１および第２の外面のいずれか一方に固定された光拡散部材の固定位置を調節可能な調節部を有するので、原稿照明装置の外部から光拡散部材の固定位置を調節することができる。このため、例えば目的の照射領域に対して実際の照度分布がずれている場合に、原稿照明装置の内部に配置された導光部材の位置を調節するなどの大掛かりな作業を行うことなく、原稿照明装置の外部から光拡散部材の固定位置を調節することにより光拡散部材通過後の光路を調整することができる。したがって、目的の照射領域に対する照度分布のずれを原稿照明装置の外部から容易に修正することができる。
【００１４】
また、従来のように、反射板などの導光部材の位置を自動で調節する制御回路および駆動回路を必要としないため、簡易な構成で目的の照射領域に対する照度分布のずれを修正することができる。
【００１５】
また、本発明に係る原稿照明装置において、前記調節部は、円柱状の回転本体の底面に回転中心から離隔して設けられた突起を有する調節器具の前記回転本体が嵌合するよう前記光拡散部材に形成された貫通穴と、前記調節器具の前記突起が係合するよう前記第１の外面および前記第２の外面のいずれか一方に形成された第１の方向に長い長溝とからなり、前記調節器具が前記調節部に装着された状態で前記回転本体を回転させることにより、前記光拡散部材の固定位置を前記第１の方向と直交する第２の方向に移動可能とした構成を有する。
【００１６】
この構成により、本発明は、回転本体と突起を有する調節器具を調節部に装着して回転させるだけの簡易な構成で、光拡散部材の固定位置を第２の方向に移動させることができる。この結果、例えば第１および第２の支持部材のいずれか他方と光拡散部材とのなす角度を変更することができ、光拡散部材通過後の光路を調整することができる。
【００１７】
また、本発明に係る原稿照明装置において、前記光拡散部材は、前記第１の外面および前記第２の外面のいずれか一方に固定するための締結部材が係合する係合穴を有し、前記係合穴は、前記第２の方向に長い長穴で構成される。
【００１８】
この構成により、本発明は、調節時には光拡散部材の固定位置の第２の方向への移動を許容しつつ、調節後は速やかに光拡散部材を固定することができる。
【００１９】
また、本発明に係る原稿照明装置において、前記導光部材は、前記光拡散部材を挟んで前記光源側に設けられた光源側反射部と原稿の照射領域側に設けられた照射領域側反射部とからなり、前記光拡散部材は、前記光源から前記光源側反射部および前記照射領域側反射部で反射され、前記照射領域に向かう光路の中心軸を通すスリットを有する。
【００２０】
この構成により、本発明は、光拡散部材が、光源から光源側反射部および照射領域側反射部で反射され、照射領域に向かう光路の中心軸を通すスリットを有するので、光拡散部材の固定位置の調節の前後に関わらず、光源から光源側反射部で反射された光を照射領域側反射部で反射させ、照射領域に確実に導くことができる。すなわち、光拡散部材の固定位置の調節前に照射領域側反射部で反射されて照射領域に向かっていた光路が、光拡散部材の固定位置の調節により照射領域側反射部から外れて照射領域に向かわなくなってしまうことを防止することができる。
【００２１】
また、本発明に係る走査光学ユニットは、上述した原稿照明装置を備えた走査光学ユニットであって、原稿から反射された光を読み取る読取手段と前記原稿照明装置とを収納する筺体を備え、前記調節部は、前記原稿照明装置が前記筺体に収納された状態で前記筺体の外部に露出するよう配置されている構成を有する。
【００２２】
この構成により、本発明は、走査光学ユニットの筺体外部から調節部を介して光拡散部材の固定位置を調節することができる走査光学ユニットを提供することができる。
【００２３】
また、本発明に係る画像読取装置は、上述した走査光学ユニットを備えた画像読取装置であって、前記原稿照明装置を副走査方向に移動させる駆動手段を備えた構成を有する。
【００２４】
また、本発明に係る画像形成装置は、上述した画像読取装置を備えた画像形成装置であって、前記読取手段によって読み取った画像を記録媒体上に形成する画像形成手段を有するものから構成される。
【発明の効果】
【００２５】
本発明では、簡易な構成で目的の照射領域に対する照度分布のずれを原稿照明装置の外部から容易に修正することができる原稿照明装置、走査光学ユニット、画像読取装置および画像形成装置を提供することができる。
【図面の簡単な説明】
【００２６】
【図１】本発明の第１の実施の形態に係るカラー複写機の概略構成図である。
【図２】本発明の第１の実施の形態に係る画像読取装置の概略斜視図である。
【図３】本発明の第１の実施の形態に係る一体型走査光学ユニットの断面図である。
【図４】本発明の第１の実施の形態に係るＬＥＤユニットの斜視図である。
【図５】本発明の第１の実施の形態に係るカバー部材の断面図である。
【図６】本発明の第１の実施の形態に係るカバー部材を下方から見たときの斜視図である。
【図７】本発明の第１の実施の形態に係る遮蔽部材を上方から見たときの斜視図である。
【図８】本発明の第１の実施の形態に係る遮蔽部材の断面図である。
【図９】本発明の第１の実施の形態に係る光拡散シートの突起部を遮蔽部材の穴に係合した状態を示す遮蔽部材および光拡散シートの要部断面図である。
【図１０】本発明の第１の実施の形態に係る遮蔽部材を上方から見たときの斜視図である。
【図１１】本発明の第１の実施の形態に係る一体型走査光学ユニットを上方から見た要部上面図である。
【図１２】本発明の第１の実施の形態に係る一体型走査光学ユニットを示す図であって、図１１におけるＡ−Ａ断面図である。
【図１３】本発明の第１の実施の形態に係る調整器具の斜視図である。
【図１４】本発明の第１の実施の形態に係る調節部を示す光拡散シートおよびカバー部材の要部上面図である。
【図１５】（ａ）は、光拡散シート調整前の一体型走査光学ユニットの要部断面図であり、（ｂ）は、光拡散シート調整後の一体型走査光学ユニットの要部断面図である。
【図１６】（ａ）は、光拡散シート通過後の光路と反射部との関係を示す概略図であり、（ｂ）は、副走査方向の照度分布を示す図である。
【図１７】本発明の第２の実施の形態に係る一体型走査光学ユニットの要部断面図である。
【図１８】一体型走査光学ユニットの変形例を示す断面図である。
【発明を実施するための形態】
【００２７】
以下、本発明の実施の形態について、図面を用いて説明する。
【００２８】
（第１の実施の形態）
図１〜図１５は、本発明に係る原稿照明装置、走査光学ユニット、画像読取装置および画像形成装置の第１の実施の形態を示す図である。なお、画像読取装置は、イメージスキャナに適用してもよく、画像形成装置としては、イメージスキャナを有する複写機やファクシミリ装置、複写機能とファクシミリ機能等を備えた複合機等に適用することができる。
【００２９】
まず、構成を説明する。
図１において、画像形成装置としてのカラー複写機１は、自動原稿搬送部（以下、ＡＤＦともいう）２と、給紙部３と、画像読取装置４と、画像形成部５とを含んで構成されている。
【００３０】
ＡＤＦ２は、原稿トレイ１１と、原稿トレイ１１に載置された原稿束から原稿を１枚ずつ分離してコンタクトガラス７に向かって搬送する各種ローラ等からなる給紙部１３とを備えている。
【００３１】
ＡＤＦ２は、給紙部１３によって分離された原稿をコンタクトガラス７上に搬送する搬送ベルト８を備えている。また、ＡＤＦ２は、各種ローラ等からなる排紙部９を備えており、コンタクトガラス７上の原稿が画像読取装置４によって読み取られると、搬送ベルト８によってコンタクトガラス７から排紙される原稿は、排紙部９によって原稿トレイ１１の下方の排紙トレイ１２に排紙されるようになっている。また、ＡＤＦ２は、画像読取装置４に対して図示しないヒンジ等の開閉機構を介して開閉自在に取り付けられている。
【００３２】
給紙部３は、用紙サイズの異なる記録媒体としての記録紙を収納する給紙カセット２１、２２と、給紙カセット２１、２２に収納された記録紙を画像形成部５の画像形成位置まで搬送する各種ローラからなる給紙手段２３とを備えている。
【００３３】
画像読取装置４は、図２に示すように、画像読取装置４の筐体４ａ内に一体型走査光学ユニット（走査光学ユニット）４０を備えており、この一体型走査光学ユニット４０は、後述するＬＥＤユニット４４（図３参照）から主走査方向（図２の矢印Ａ方向）に光を照射するとともに、画像読取装置４に備えられる図示しない駆動手段によって全照射領域Ｗ内において副走査方向（図１、図２の矢印Ｂ方向）に走査（移動）されることによって、原稿の２次元カラー画像を読み取るようになっている。また、コンタクトガラス７は、画像読取装置４の筐体４ａの上部に設けられており、筐体４ａの上面を構成している。
【００３４】
駆動手段は、一体型走査光学ユニット４０に固定されたワイヤ、ワイヤに橋架される複数の従動プーリおよび駆動プーリと、駆動プーリを回転させるモータ等によって構成されるものであり、公知であるため、図示省略する。
【００３５】
画像形成部５は、画像形成手段を構成するものであり、露光装置３１と、複数の感光体ドラム３２と、各感光体ドラム３２の周囲に設置された異なる色（シアン（Ｃ）、イエロー（Ｙ）、マゼンタ（Ｍ）、ブラック（Ｂｋ））のトナーを有する現像装置３３と、転写ベルト３４と、定着装置３５とを備えている。
【００３６】
画像形成部５は、画像読取装置４によって読み取られて色別分解された画情報に基づいて複数の感光体ドラム３２に色分けして画像を形成し、給紙部３から供給された記録紙に感光体ドラム３２上のトナーを重ね合わせて転写した後、定着装置３５により記録紙に転写されたトナー画像のトナーを溶融して、記録紙にカラー画像を定着するようになっている。
【００３７】
また、カラー複写機１は、図示しない画像送受信装置によって読み取った画像を相手先の装置に送信する機能も備えている。
【００３８】
次に、図３〜図１０に基づいて一体型走査光学ユニット４０の構成を説明する。
【００３９】
図３に示すように、一体型走査光学ユニット４０は、筐体４１と、筐体４１に着脱自在に設けられ、ＬＥＤパッケージ４６からの光を導く反射部４８、４９を支持する第１の支持部材としての遮蔽部材４２と、遮蔽部材４２に着脱自在に設けられるとともに、遮蔽部材４２との間に原稿Ｐの照射領域Ｗ１にＬＥＤパッケージ４６から照射を行うための開口４３ａを有し、ＬＥＤパッケージ４６からの光を導く反射部４７を支持する第２の支持部材としてのカバー部材４３とを備えている。なお、筐体４１、遮蔽部材４２およびカバー部材４３は、それぞれ樹脂製である。
【００４０】
遮蔽部材４２は、反射部４８、４９が取り付けられた対向面（第１の対向面）４２ａと、この対向面４２ａと反対側に位置し原稿照明部５６の外面を構成する下面（第１の外面）４２ｂとを有している。
【００４１】
カバー部材４３は、対向面（第１の対向面）４２ａと対向して反射部４７が取り付けられた対向面（第２の対向面）４３ｂと、この対向面４３ｂと反対側に位置し原稿照明部５６の外面を構成する上面（第２の外面）４３ｃとを有している。遮蔽部材４２およびカバー部材４３は、支持部材を構成している。
【００４２】
また、遮蔽部材４２とカバー部材４３には、光源としてのＬＥＤユニット４４が取り付けられており、このＬＥＤユニット４４は、図４に示すように、ＬＥＤ基板４５上に発光素子である複数（本実施の形態では７個）のＬＥＤパッケージ４６が主走査方向に略直線状に配置されたものから構成されている。
【００４３】
本実施の形態のＬＥＤパッケージ４６は、いわゆるトップビュータイプと称されるものであり、出射面がＬＥＤ基板４５の実装面と直交する方向になっている。
【００４４】
このトップビュータイプのＬＥＤパッケージ４６は、発光強度分布に指向性を有し、出射光の強度分布は、出射角に対して発光面の直交方向を基準とするランバートの余弦則に倣う強度分布（ランバート分布と呼ぶ）を有している。なお、図３は、一体型走査光学ユニット４０の断面図であり、１つのＬＥＤパッケージ４６が示されている。
【００４５】
図３において、カバー部材４３の下面には、ＬＥＤパッケージ４６からの光を導く導光部材として反射部４７が設けられており、カバー部材４３に対向する遮蔽部材４２の上面にはＬＥＤパッケージ４６からの光を導く導光部材として反射部４８、４９が設けられている。なお、本実施の形態では、導光部材として、上述した各反射部を用いた例について説明したが、これに限らず、例えばアクリル等の透過率の高い樹脂等により形成された導光体を導光部材として用いてもよい。
【００４６】
すなわち、反射部４７は、カバー部材４３の下面である対向面（第２の対向面）４３ｂに設けられており、反射部４８、４９は、カバー部材４３の対向面４３ｂに対向する遮蔽部材４２の上面である対向面（第１の対向面）４２ａに設けられている。ここで、反射部４７、４８は、後述する光拡散シート８１を挟んでＬＥＤユニット側に設けられており、反射部４９は、光拡散シート８１を挟んで照射領域側に設けられている。反射部４７、４８は光源側反射部を構成し、反射部４９は照射領域側反射部を構成する。
【００４７】
一方、カバー部材４３の先端（図３中、最も右に位置する端部）の上面（第２の外面）４３ｃには、光拡散部材としてのシート状部材からなる光拡散シート８１の一端部が取り付けられており、この光拡散シート８１の他端部は、ＬＥＤパッケージ４６側と逆方向に延在している。
【００４８】
この光拡散シート８１は、図６に示すように、主走査方向においては反射部４７の幅より大きい幅を有しているとともに、反射部４８の幅よりも大きい幅を有しており、筐体４１内を、ＬＥＤユニット４４および反射部４７、４８が収納された第１の空間５７および反射部４９が収納された第２の空間８２に離隔している。
【００４９】
図５に示すように、光拡散シート８１の一端部は、カバー部材４３の上面（第２の外面）４３ｃに後述する締結部材７３によって固定されている。
【００５０】
また、図５〜図７に示すように、光拡散シート８１の他端部には、複数（本実施の形態では３つ）の係合突起８１ｂが設けられている。また、光拡散シート８１の他端部における係合突起８１ｂ以外の端部８１ｃは、折り目部８１ａと略平行に形成されている。したがって、この係合突起８１ｂは、図８、図９に示すように、遮蔽部材４２に設けられた３つの係合部としての穴４２ｃに係合されることでＬＥＤパッケージ４６から照射領域Ｗ１までの光路上において光拡散シート８１の位置が一義的に決定されるようになっている。ただし、光拡散シート８１の位置は、後述する調節方法により適宜変更可能である。
【００５１】
また、係合突起８１ｂを穴４２ｃに係合させたとき、係合突起８１ｂ以外の端部８１ｃは、遮蔽部材４２の表面４２ｆと当接するので、反射部４７および反射部４８に対する光拡散シート８１の位置関係も一義的に決定される。
【００５２】
また、図５に示すように、係合突起８１ｂは、水平面と直交する直線に対して傾斜するようになっている。また、図８、図９に示すように、遮蔽部材４２は、モールド樹脂から構成されており、遮蔽部材４２の成形時の成形型の抜き勾配を確保するために穴４２ｃに傾斜部４２ｄが形成されている。
【００５３】
図９に示すように、係合突起８１ｂの板厚と穴４２ｃの開口径とは略同一径となっており、係合突起８１ｂが穴４２ｃに挿通されたときに係合突起８１ｂの一面が傾斜部４２ｄに当接するようになっている。このとき、係合突起８１ｂがスリット５９側に移動しようとする付勢力によって、係合突起８１ｂの上部が穴４２ｃの開口に強固に係合することで光拡散シート８１が遮蔽部材４２に係合される。
【００５４】
したがって、カバー部材４３が遮蔽部材４２に着脱される際には、カバー部材４３および光拡散シート８１が遮蔽部材４２に一体的に着脱される。
【００５５】
なお、穴４２ｃは、削出加工で形成されてもよく、この場合には、係合突起８１ｂを穴の全面に挟み込むようにして係合させてもよい。また、穴４２ｃに傾斜部４２ｄを設けない形状であってもよく、この場合には、図９において、穴４２ｃの左上端部と右下端部とで係合突起８１ｂを係合させてもよい。
【００５６】
また、ＬＥＤユニット４４は、遮蔽部材４２およびカバー部材４３の間で、ＬＥＤパッケージ４６からの出射光の中心光軸が略水平に向くような方向にＬＥＤ基板４５が配置されており、このＬＥＤ基板４５は、カバー部材４３の対向面４３ｂに設けられた嵌合部としての位置決め用の溝５０（図５、図６参照）と、遮蔽部材４２の対向面４２ａに設けられた嵌合部としての位置決め用の溝５１（図８、図１０参照）とその上下端部が嵌合されることにより、ＬＥＤパッケージ４６の位置が一義的に決定されている。
【００５７】
また、ＬＥＤユニット４４は、ＬＥＤ基板４５が溝５０、５１に嵌合されることにより、遮蔽部材４２およびカバー部材４３に挟持され、また、ＬＥＤ基板４５が溝５０、５１から抜け出ることにより、遮蔽部材４２およびカバー部材４３から取り外されるようになっている。すなわち、ＬＥＤユニット４４は、遮蔽部材４２およびカバー部材４３に対して着脱自在となっている。
【００５８】
また、図８、図１０に示すように、遮蔽部材４２の主走査方向両端部（図１０に主走査方向Ａを示す）には位置決め用の突起５２ａ、５２ｂが設けられており、この突起５２ａ、５２ｂは、遮蔽部材４２の主走査方向両端部から上方に突出している。また、図６、図７、図１０に示すように、カバー部材４３の主走査方向両端部には突起５２ａ、５２ｂに嵌合する位置決め用の穴５３ａ、５３ｂが設けられている。
【００５９】
一方の穴５３ａは、基準となるスリットから形成されており、他方の穴５３ｂは、主走査方向に延在する長穴から構成されている。このため、突起５２ａ、５２ｂを穴５３ａ、５３ｂに嵌合したときに、遮蔽部材４２とカバー部材４３の寸法ばらつきを吸収することができる。なお、他方の穴５３ｂは、主走査方向に延在する長穴となっているため、ＬＥＤ基板４５が副走査方向に傾いてしまうのを防止することができる。
【００６０】
また、カバー部材４３は、外部から一体型走査光学ユニット４０に進入する外乱光を防ぐために設けられており、対向面４３ｂに設けられた反射部４７によってＬＥＤパッケージ４６から照射された光が反射部４９に導かれるようになっている。
【００６１】
反射部４７〜４９は、遮蔽部材４２およびカバー部材４３の対向面４２ａ、４３ｂの形状に沿った反射面形状に成型された母材の表面にアルミ箔等の反射シートを接着させるようにして構成されている。
【００６２】
反射部４７〜４９は、反射面に成型された母材の表面にアルミを蒸着することにより構成してもよいし、反射面に反射材を練り込んだ塗装を施したものから構成したり、反射材料によるメッキを施すことにより構成してもよい。
【００６３】
また、光拡散シート８１は、光を拡散する作用があるものであれば、どのようなタイプでも構わない。例えば、第１の空間５７側のシート面に拡散作用を有するように構成したものや、第２の空間８２側のシート面に拡散作用を有するように構成したもの、あるいは、光拡散シート８１の内部で拡散作用を有する構成にしたものであってもよい。
【００６４】
本実施の形態では、突起５２ａ、５２ｂを穴５３ａ、５３ｂに嵌合することにより、遮蔽部材４２とカバー部材４３との相対的な位置決めを行うことができるため、遮蔽部材４２およびカバー部材４３のそれぞれに設けられたＬＥＤ基板４５の位置決め用の溝５０、５１をコンタクトガラス７面に対して直角の方向になるように配置することができ、ＬＥＤ基板４５を垂直に保持することができる。このため、発光面をＬＥＤ基板４５と平行に配置されたＬＥＤパッケージ４６から出射した光の中心光軸を水平方向に指向させることができる。
【００６５】
このように発光面をＬＥＤパッケージ４６から出射した光の中心光軸を水平方向に指向させることができるため、ＬＥＤパッケージ４６から出射された照明光は、ある角度で広がりながら略水平方向に進行する。
【００６６】
遮蔽部材４２の反射部４８によって反射させられたＬＥＤパッケージ４６の照明光は、光拡散シート８１を通してさらにある角度で広がりながら図３において原稿Ｐの照射領域Ｗ１に対して左側から照射されるようになっており、光拡散シート８１を通してある角度で広がった後、カバー部材４３の反射部４７で反射させられた照明光は、遮蔽部材４２の反射部４９でさらに反射し、もしくは、直接ＬＥＤパッケージ４６から反射部４９に到達して反射する光も照射領域Ｗ１に対して図３の右側から照射される。
【００６７】
なお、照射領域Ｗ１は、コンタクトガラス７上のある一定範囲である。また、図３において、照射領域Ｗ１に対して右側を走査方向の前側とし、照射領域Ｗ１に対して左側を走査方向の後側とすると、本実施の形態では、上述した反射部４７〜４９から照明作用により、照射領域Ｗ１に対して副走査方向の前後方向から光が略均等に照射されることになり、立体物の原稿や切り貼りされた原稿等も影が出ないようにすることができる。
【００６８】
したがって、カバー部材４３および遮蔽部材４２の形状は、ＬＥＤパッケージ４６から照射される光を照射領域Ｗ１に対して副走査方向に一定の照度分布で導くように設計された折り曲げ形状となっている。
【００６９】
すなわち、本実施の一体型走査光学ユニット４０は、筐体４１に設けられ、発光するＬＥＤユニット４４と、ＬＥＤパッケージ４６からの光を原稿Ｐの照射領域Ｗ１に照射する反射部４７と、ある一定の角度で光を広がらせる光拡散シート８１を有するカバー部材４３と、ＬＥＤパッケージ４６からの光を原稿Ｐの照射領域Ｗ１に照射する反射部４８、４９を有する遮蔽部材４２とからなる原稿照明装置としての原稿照明部５６を備えたものとなる。
【００７０】
また、遮蔽部材４２は、筐体４１に着脱自在に設けられており、図３に示すように、筐体４１内を、ＬＥＤユニット４４が設けられた第１の空間５７および第２の空間８２と、第１の空間５７の下方に位置し、画像読取部５４が設けられた第３の空間５８とに隔離するようになっている。すなわち、遮蔽部材４２は、筐体４１内に画像読取部５４が収納された空間としての第３の空間５８が画成されるように原稿照明部５６と画像読取部５４とを隔離している。
【００７１】
この遮蔽部材４２の対向面４２ａは、画像読取部５４の底面を構成するものであり、遮蔽部材４２は、第３の空間５８に原稿Ｐからの反射光以外の照明光が進入しないように第１の空間５７および第２の空間８２から遮断する（隔離する）機能を有しており、原稿照明部５６の下方を覆うとともに、筐体４１との間で隙間が生じないように筐体４１に取り付けられている。
【００７２】
このように、本実施の形態では、反射部４７を第１の空間５７および第２の空間８２に対向するカバー部材４３の対向面４３ｂに設けるとともに、反射部４８、４９を第１の空間５７および第２の空間８２に対向する遮蔽部材４２の対向面４２ａに設けることで、第３の空間５８と隔離された第１の空間５７および第２の空間８２を画成することができる。
【００７３】
また、図３、図８、図１０に示すように、遮蔽部材４２には主走査方向に延在するスリット５９が形成されており、このスリット５９は、ＬＥＤユニット４４から遠く離れて位置している（図３中、右方）。
【００７４】
また、スリット５９は、反射部４８および反射部４９の間に位置するようにして設けられており、原稿Ｐからの反射光（原稿像の光）を第１の空間５７から第２の空間８２を通して第３の空間５８に導くようになっている。
また、スリット５９は、上下方向に開口しており、開口の高さはＬＥＤパッケージ４６の中心よりも高い位置、すなわち、原稿Ｐに近い位置に設けられている。このため、ＬＥＤパッケージ４６からの照射光を第１の空間５７から第２の空間８２を通して第３の空間５８に進入し難くして、原稿Ｐからの反射光のみを第３の空間５８に導くことができる。
【００７５】
なお、反射部４８、４９を除いたスリット５９の近傍の遮蔽部材４２の表面４２ｆやスリット５９内の垂直方向の内周側面は、反射率の低い表面処理または、黒色に構成されており、反射部４８、４９を除いた遮蔽部材４２の対向面４２ａで光を反射し難くしている。
【００７６】
一方、図３において、第３の空間５８に位置する筐体４１には、反射ミラー６０ａ〜６０ｅ、結像レンズ６１および撮像素子としてのＣＣＤ（Ｃｈａｒｇｅ Ｃｏｕｐｌｅｄ Ｄｅｖｉｃｅ）６３が設けられており、これら反射ミラー６０ａ〜６０ｅ、結像レンズ６１およびＣＣＤ６３は、読取手段としての画像読取部５４を構成している。
【００７７】
反射ミラー６０ａ〜６０ｅは、ＬＥＤユニット４４から反射部４７〜４９を介して原稿Ｐの照射領域Ｗ１が照射されたときに、照射領域Ｗ１における原稿Ｐのライン上（主走査方向）の反射光Ｌ、すなわち、読取光軸が遮蔽部材４２のスリット５９を介して第３の空間５８に導かれると、反射ミラー６０ａ、６０ｂ、６０ｃ、６０ｄ、６０ｅの順に反射するようになっている。したがって、反射ミラー６０ａ〜６０ｅは、反射光Ｌを結像レンズ６１に導くように筐体４１の所定個所に取り付けられている。
【００７８】
この結像レンズ６１は、筐体４１の底部に取り付けられており、反射ミラー６０ｅによって反射された光を結像させるようになっている。ＣＣＤ６３は、結像レンズ６１の結像位置に配置されるように筐体４１の副走査方向一側面に取り付けられており、原稿Ｐの画像を読み取るようになっている。本実施の形態のＣＣＤ６３は、Ｒ（赤）、Ｇ（緑）、Ｂ（青）の各色毎に設けられており、カラー画像の読み取りを行うことができる。
【００７９】
このＣＣＤ６３は、ＳＢＵ（スキャナボードユニット）６４上に配置されており、このＳＢＵ６４は、筐体４１の副走査方向一側面に取り付けられている。このＳＢＵ６４にはＣＣＤ６３の他にＩＣチップやチップコンデンサ等の電子部品が実装されており、ＣＣＤ６３によって読み取られた原稿Ｐの画像を処理し、露光装置３１（図１参照）に送信するようになっている。
【００８０】
次に、図１１〜図１５を参照して、光拡散シート８１の取付位置の調整方法について説明する。
【００８１】
一般に、走査光学ユニットにおいては、原稿の読取領域の中心と照度分布のピーク光量位置とが一致するように、原稿照明装置や反射部などの各構成部材を筺体内部に取り付けている。これにより、目的の照射領域に対して良好な照度分布を得ることができる。しかし、原稿照明装置や反射部の取付位置の精度が低いと、図１５（ａ）に示すように、目的の照射領域Ｗ１に対して実際の照度分布２００Ａが大幅にずれ、これに起因して画像濃度むらが発生してしまうという不都合があった。
【００８２】
そこで、本実施の形態においては、上述したような不都合を解消するために、以下に示す構成により、簡易な構成で目的の照射領域Ｗ１に対する照度分布２００Ａのずれを容易に修正できるようにした。
【００８３】
図１１および図１２に示すように、原稿照明部５６は、光拡散シート８１の固定位置を調節可能な調節部７０を有する。調節部７０は、図７に示すように、光拡散シート８１の主走査方向（図中、Ａ方向）の中央を基準に等間隔で２つ設けられている。なお、本実施の形態では、調節部７０を２つ設けたが、光拡散シート８１の主走査方向の略中央部に１つだけ設けてもよいし、主走査方向の任意の位置に３つ以上設けてもよい。
【００８４】
また、図３に示すように、調節部７０は、原稿照明部５６が一体型走査光学ユニット４０の筐体４１に収納された状態で筺体４１の外部に露出するよう配置されている。このため、本実施の形態に係る一体型走査光学ユニット４０では、後述するように、筺体４１の外部から調節部７０を介して光拡散シート８１の固定位置を調節することができる。
【００８５】
また、光拡散シート８１の固定位置の調節時には、図１３に示す調節器具１００が調節部７０に装着されるようになっている。
【００８６】
図１３に示すように、調節器具１００は、円柱状の回転本体１０１と、回転本体１０１に対して直交するよう取り付けられた円柱状の取っ手部１０２とを有している。回転本体１０１の底面１０１ａには、回転本体１０１の回転中心Ｏから離隔（偏心）した位置に突起１０３が設けられている。なお、調節器具１００は、取っ手部１０２を有さず、回転本体１０１のみによって構成してもよい。また、取っ手部１０２の形状は、一例であり、円柱状に限らない。
【００８７】
図１１および図１２に示すように、調節部７０は、光拡散シート８１に形成された貫通穴８１ｄと、カバー部材４３の上面（第２の外面）４３ｃに形成された長溝４３ｄとから構成されている。なお、図１１においては、２つある調節部７０のうち、一方の調節部のみを示している。
【００８８】
貫通穴８１ｄは、調節器具１００の回転本体１０１の径と略同径で構成され、調節器具１００が調節部７０に装着された際、回転本体１０１が嵌合するようになっている。長溝４３ｄは、主走査方向（第１の方向）に長い長溝であり、その長さは貫通穴８１ｄの径と略同じ長さである。この長溝４３ｄには、調節器具１００が調節部７０に装着された際、調節器具１００の突起１０３が係合するようになっている。
【００８９】
上記のように構成された調節部７０において、実際に調節器具１００を用いて光拡散シート８１の固定位置を調節するには、以下の通り行う。
【００９０】
特に、本実施の形態では、図１５（ａ）に示すように、遮蔽部材４２などの部品精度あるいは組付誤差などに起因して反射部４８の取付位置がずれ、目的の照射領域Ｗ１に対して、主走査方向に直交する副走査方向（第２の方向）の照度分布２００Ａが光拡散シート８１の離隔方向（図中、右方向）に大幅にずれている場合について説明する。この場合、原稿の読取領域の中心、すなわち目的の読取光軸Ｌと照度分布２００Ａのピーク光量位置とがずれている。このとき、光拡散シート８１と遮蔽部材４２とのなす角度は、所定の角度α０である。このため、本実施の形態では、照度分布２００Ａを目的の照射領域Ｗ１に一致させる、すなわち原稿の読取領域の中心と照度分布２００Ａのピーク光量位置とを一致させるべく、以下の通り、光拡散しシート８１の固定位置を調節する。
【００９１】
具体的には、図１２および図１４に示すように、調節器具１００を調節部７０に装着した状態で、図１２中、Ｙ方向の一方（図１４中、時計回り方向）に回転本体１０１を回転させ、貫通穴８１ｄを主走査方向（図１４中、Ａ方向）に直交する図１４中、矢印Ｂで示す副走査方向（第２の方向）の一方に移動させる。このとき、調節器具１００の突起１０３は、回転本体１０１の回転に連動して、長溝４３ｄに沿って図１４中、実線で示す位置から破線で示す位置に移動する。これにより、光拡散シート８１の固定位置が図１４中、実線で示す位置から破線で示す位置まで所定距離Ｄだけ、副走査方向（第２の方向）の一方に移動する。この結果、図１５（ａ）、（ｂ）に示すように、調節前の光拡散シート８１と遮蔽部材４２とのなす角度αが、調節後には角度α０よりも小さな角度α１となる。
【００９２】
したがって、図１５（ｂ）に示すように、光拡散シート８１の角度変更により、光拡散シート８１を通過後の光路の中心軸Ｓ１、Ｓ２の向きも変更される。この結果、光拡散シート８１を通過後の光路の中心軸Ｓ１、Ｓ２は、原稿に対する照射位置が調節前よりも光拡散シート８１に近接する側（図中、左方向）に移動し、目的の照射領域Ｗ１に向かうこととなる。このため、光拡散シート８１の固定位置の調節後は、照度分布２００Ｂを目的の照射領域Ｗ１に一致させることができる。すなわち、原稿の読取領域の中心と照度分布２００Ｂのピーク光量位置とを一致させることができる。なお、上述の光路の中心軸Ｓ１は、光拡散シート８１から反射部４９を経由せずに照射領域Ｗ１に直接照射される照明光の光路の中心軸である。また、上述の光路の中心軸Ｓ２は、光拡散シート８１から反射部４９を経由して照射領域Ｗ１に照射される照明光の光路の中心軸である。
【００９３】
また、これとは逆に、副走査方向の照度分布が目的の照射領域Ｗ１から光拡散シート８１の近接方向（図中、左方向）に大幅にずれている場合には、光拡散シート８１の固定位置を副走査方向（第２の方向）の他方に移動させればよい。光拡散シート８１の固定位置を副走査方向（第２の方向）の他方に移動させる場合には、調節器具１００の回転本体１０１をＹ方向の他方（図１４中、反時計回り方向）に回転させればよい。
【００９４】
ここで、光拡散シート８１と遮蔽部材４２とのなす角度は、調節器具１００の回転本体１０１の回転角度に応じて決定される。具体的には、突起１０３が回転本体１０１の回転中心Ｏと主走査方向（第１の方向）に一致する位置にあるとき（例えば、図１４の実線で示す場合）の光拡散シート８１と遮蔽部材４２とのなす角度は、上述した通り、所定の角度α０である。この位置を基準に、回転本体１０１を図１４に示す通り、時計回り方向に９０°回転させると、突起１０３が回転本体１０１の回転中心Ｏと副走査方向（第２の方向）に一致する位置となる。このときの光拡散シート８１と遮蔽部材４２とのなす角度は、上述した通り、角度α０よりも小さな所定の角度α１となる。本実施の形態では、この所定の角度α１が最小角度となる。したがって、これ以上回転本体１０１を時計回り方向に回転させても、光拡散シート８１と遮蔽部材４２とのなす角度が所定の角度α１以下となることはない。次いで、この状態から、回転本体１０１を時計回り方向に９０°回転させると、また突起１０３が回転本体１０１の回転中心Ｏと主走査方向（第１の方向）に一致する位置となり、光拡散シート８１と遮蔽部材４２とのなす角度が上述した所定の角度α０となる。さらに、この状態から時計回り方向に９０°回転、あるいは図１４の実線で示す位置から反時計回り方向に９０°回転させると、突起１０３が回転本体１０１の回転中心Ｏと副走査方向（第２の方向）に一致するが、図１４の破線で示す場合と反対方向（副走査方向の他方）に光拡散シート８１が所定距離Ｄだけ移動する。したがって、このときの光拡散シート８１と遮蔽部材４２とのなす角度は、上述した所定の角度α０よりも大きな所定の角度α２となる。本実施の形態では、この所定の角度α２が最大角度となる。
【００９５】
このように、本実施の形態では、調節器具１００の回転本体１０１を調節部７０に装着した状態で回転させることにより、上述の最小角度α１と最大角度α２との間で光拡散シート８１と遮蔽部材４２とのなす角度を変更可能である。
【００９６】
また、光拡散シート８１には、係合穴として矢印Ｂで示す副走査方向（第２の方向）に長い長穴８１ｅが形成されている。この長穴８１ｅは、貫通穴８１ｄと副走査方向に並んで配置される。また、カバー部材４３の上面（第２の外面）４３ｃには、締結穴４３ｅが形成されている。締結穴４３ｅは、光拡散シート８１をカバー部材４３に取り付ける際に上述した長穴８１ｅと主走査方向（第１の方向）に一致する位置に配置される。そして、ボルトやねじなどの締結部材７３を長穴８１ｅに係合させて、締結穴４３ｅに締結する。これにより、光拡散シート８１がカバー部材４３の上面（第２の外面）４３ｃに固定される。本実施の形態では、光拡散シート８１に形成した係合穴を長穴８１ｅとしたので、光拡散シート８１の固定位置が移動しても、締結部材７３と締結穴４３ｅの締結を妨げることがない。
【００９７】
ここで、締結穴４３ｅに対して締結部材７３の締結を若干緩めた状態で、光拡散シート８１の固定位置を調節するのが好ましい。これにより、調節時には、光拡散シート８１の固定位置の副走査方向（第２の方向）への移動を許容しつつ、調節後は、速やかに光拡散シート８１を固定することができる。さらに、この場合、調節時に光拡散シート８１が主走査方向（第１の方向）にずれることを規制することができる。
【００９８】
以上のように、本実施の形態では、カバー部材４３の上面（第２の外面）４３ｃに固定された光拡散シート８１の固定位置を調節可能な調節部７０を有するので、原稿照明部５６の外部から光拡散シート８１の固定位置を調節することができる。このため、例えば目的の照射領域Ｗ１に対して実際の照度分布２００Ａが大幅にずれている場合に、原稿照明部５６の内部に配置された反射部４７、４８の位置を調節するなどの大掛かりな作業を行うことなく、原稿照明部５６の外部から光拡散シート８１の固定位置を調節することにより光拡散シート８１を通過後の光路の中心軸Ｓ１、Ｓ２を調整することができる。したがって、目的の照射領域Ｗ１に対する照度分布２００Ａのずれを原稿照明部５６の外部から容易に修正することができる。
【００９９】
また、従来のように、反射部４７、４８などの導光部材の位置を自動で調節する制御回路および駆動回路を必要としないため、簡易な構成で目的の照射領域Ｗ１に対する照度分布２００Ａのずれを修正することができる。
【０１００】
また、本実施の形態では、回転本体１０１と突起１０３を有する調節器具１００を調節部７０に装着して回転させるだけの簡易な構成で、光拡散シート８１の固定位置を副走査方向（第２の方向）に移動させることができる。この結果、光拡散シート８１と遮蔽部材４２とのなす角度を変更することができ、光拡散シート８１を通過後の光路の中心軸Ｓ１、Ｓ２の向きを調整することができる。
【０１０１】
なお、本実施の形態では、光拡散シート８１をカバー部材４３に固定しているが、遮蔽部材４２に固定してもよい。この場合には、カバー部材４３に光拡散シート８１の係合突起８１ｂに係合する穴を設ければよい。さらに、この場合、本実施の形態の長溝４３ｄに相当する長溝を遮蔽部材４２の下面（第１の外面）４２ｂに設け、これと対応するように貫通穴８１ｄを光拡散シート８１に設け、本実施の形態と同様の調節部７０を設ける。
【０１０２】
また、本実施の形態では、原稿Ｐの照射領域Ｗ１に対して両側から照射されるようにしているが、この形態に限られることはない。例えば、図１８に示すように、原稿Ｐの照射領域Ｗ１に対して片側から照射させる走査光学ユニットにも適用できる。この場合、光拡散シート８１の固定位置を調節することにより、光拡散シート８１を通過して照射領域Ｗ１に直接向かう光路の中心軸の向きを変更することができる。これにより、本構成の形態にあっても、本実施の形態と同様の効果を得ることができる。
【０１０３】
（第２の実施の形態）
図１７は、本発明に係る原稿照明装置、走査光学ユニット、画像読取装置および画像形成装置の第２の実施の形態を示す図であり、本実施の形態では、光拡散シートの構成が第１の実施の形態と異なるが、他の構成は、第１の実施の形態と略同様に構成されている。したがって、第１の実施の形態と同一の構成には同一の符号を付して説明を省略し、特に相違点についてのみ詳述する。
【０１０４】
上述の第１の実施の形態では、光拡散シート８１の固定位置を調節することにより、光拡散シート８１を通過後の光路の中心軸Ｓ１、Ｓ２の向きを調整して、目的の照射領域Ｗ１に対する照度分布のずれを修正することについて説明してきた。ところが、光拡散シート８１の固定位置の調節により光路の中心軸Ｓ２の向きを変更した結果、図１６（ａ）に示すように、光路の中心軸Ｓ２上の照明光が反射部４９の反射領域から外れてしまうおそれがある。ここで、図１６（ｂ）に示すように、通常、原稿の読取領域の中心にピーク光量位置が一致した良好な照度分布２００Ｂは、光拡散シート８１から反射部４９を経由せずに照射領域Ｗ１に直接照射される照明光の照度分布２０１と、光拡散シート８１から反射部４９を経由して照射領域Ｗ１に照射される照明光の照度分布２０２とを合成したものとなる。
【０１０５】
しかし、上述したように、光路の中心軸Ｓ２上の照明光が反射部４９の反射領域から外れてしまうと、図１６（ｂ）に示す照度分布２０２が得られず、結果として図１６（ａ）に示すように、照射領域Ｗ１に対する照度分布２００Ｃが照度分布２０１のみで構成されてしまう。このため、照射領域Ｗ１に対する照度分布２００Ｃは、その総光量が低下するばかりか、ピーク光量位置も原稿の読取領域の中心からずれてしまう。すなわち、目的の照射領域Ｗ１に対して実際の照度分布２００Ｃがずれてしまうこととなる。
【０１０６】
そこで、本実施の形態では、このような不具合を防止するため、光拡散シート８１を以下に示す構成とした。
【０１０７】
すなわち、本実施の形態に係る光拡散シート８１は、ＬＥＤユニット４４（図３参照）から光源側の反射部４７、４８および照射領域側の反射部４９で反射され、照射領域Ｗ１に向かう光路の中心軸Ｓ２を通すスリット８１ｆを有する。
【０１０８】
スリット８１ｆは、主走査方向（第１の方向）に延在して形成されるとともに、主走査方向と直交する方向に所定の幅ＷＳを有する。スリット８１ｆの幅ＷＳは、上述の最小角度α１と最大角度α２との間で光拡散シート８１と遮蔽部材４２とのなす角度が変更された際に、光路の中心軸Ｓ２が光拡散シート８１と干渉しない程度の幅とされる。このため、光拡散シート８１の固定位置の調節前後で光拡散シート８１と遮蔽部材４２とのなす角度が変更されても、光路の中心軸Ｓ２上の照明光は、常に反射部４９の反射領域に導かれることとなる。
【０１０９】
以上のように、本実施の形態では、光拡散シート８１が、ＬＥＤユニット４４から光源側の反射部４７、４８および照射領域側の反射部４９で反射され、照射領域Ｗ１に向かう光路の中心軸Ｓ２を通すスリット８１ｆを有するので、光拡散シート８１の固定位置の調節前後に関わらず、ＬＥＤユニット４４から反射部４７、４８で反射された光を反射部４９で反射させ、照射領域Ｗ１に確実に導くことができる。すなわち、光拡散シート８１の固定位置の調節前に反射部４９で反射されて照射領域Ｗ１に向かっていた光路の中心軸Ｓ２が、光拡散シート８１の固定位置の調節により反射部４９から外れて照射領域Ｗ１に向かわなくなってしまうことを防止することができる。
【産業上の利用可能性】
【０１１０】
以上のように、本発明に係る原稿照明装置、走査光学ユニット、画像読取装置および画像形成装置は、簡易な構成で目的の照射領域に対する照度分布のずれを原稿照明装置の外部から容易に修正することができるという効果を有し、原稿に光を照射する原稿照明装置、この原稿照明装置を備えた走査光学ユニット、この走査光学ユニットを備えた複写機、ファクシミリ装置、イメージスキャナ等に使用される画像読取装置およびこの画像読取装置を備えた画像形成装置等として有用である。
【符号の説明】
【０１１１】
１  カラー複写機（画像形成装置）
４  画像読取装置
５  画像形成部（画像形成手段）
４０  一体型走査光学ユニット（走査光学ユニット）
４１  筐体
４２  遮蔽部材（支持部材、第１の支持部材）
４２ａ  対向面（第１の対向面）
４２ｂ  下面（第１の外面）
４２ｃ  穴（係合部）
４３  カバー部材（支持部材、第２の支持部材）
４３ｂ  対向面（第２の対向面）
４３ｃ  上面（第２の外面）
４３ｄ  長溝
４３ｅ  締結穴
４４  ＬＥＤユニット（光源）
４７、４８  反射部（導光部材、光源側反射部）
４９  反射部（導光部材、照射領域側反射部）
５４  画像読取部（読取手段）
５６  原稿照明部（原稿照明装置）
７０  調節部
７３  締結部材
８１  光拡散シート（光拡散部材）
８１ｂ  係合突起
８１ｄ  貫通穴
８１ｅ  長穴（係合穴）
８１ｆ  スリット
１００  調節器具
１０１  回転本体
１０１ａ  底面
１０２  取っ手部
１０３  突起
Ｗ１  照射領域
Ｏ  回転中心
【先行技術文献】
【特許文献】
【０１１２】
【特許文献１】特開２００８−２０９８７９号公報
【特許文献２】特開２０１０−１９１１８４号公報
【特許文献３】特開昭５４−１３９５５６号公報
【図１】
2012220566.tif 000003
【図２】
2012220566.tif 000004
【図３】
2012220566.tif 000005
【図４】
2012220566.tif 000006
【図５】
2012220566.tif 000007
【図６】
2012220566.tif 000008
【図７】
2012220566.tif 000009
【図８】
2012220566.tif 000010
【図９】
2012220566.tif 000011
【図１０】
2012220566.tif 000012
【図１１】
2012220566.tif 000013
【図１２】
2012220566.tif 000014
【図１３】
2012220566.tif 000015
【図１４】
2012220566.tif 000016
【図１５】
2012220566.tif 000017
【図１６】
2012220566.tif 000018
【図１７】
2012220566.tif 000019
【図１８】
2012220566.tif 000020